(57)【要約】【課題】  記録媒体の幅によらず容易に記録媒体を装着できるインクジェットプリンターを提供する。【解決手段】  記録媒体の巻き回されている紙管を固定するコネクターと、コネクターを回動可能に支持する立設部と、立設部の根元に配置された摺動部と、を備えたホルダーを、記録媒体の搬送方向に垂直な方向に沿って配置された２本の円筒の支持軸に摺動可能に取り付け、支持軸に沿って紙管を固定したホルダーを移動可能とした。【選択図】  図１
2014144558.tif 000002
【特許請求の範囲】
【請求項１】
記録媒体が紙管に巻回された供給ロールから前記記録媒体を供給する供給部と、
前記記録媒体を搬送する搬送手段と、
前記供給部から供給された前記記録媒体に記録を行う記録ヘッドと、
前記記録ヘッドで記録された前記記録媒体を巻取りロールに巻取る巻取り部と、を備えるインクジェットプリンターにおいて、
前記巻取り部は、
前記記録媒体の搬送方向に対して交差する方向に沿って配置された２本の支持軸と、
前記支持軸に摺動可能に支持され、前記紙管の一方の端を固定する第１のホルダーと、
前記支持軸に摺動可能に支持され、前記紙管の他方の端を固定する第２のホルダーと、
を有し、
前記第１のホルダーと前記第２のホルダーは、夫々の本体部の上方部に回動可能に支持され、前記紙管を固定する紙管固定部と、
夫々の前記本体部の下方部に、前記２本の支持軸の内の一方の前記支持軸の外径と同形状の内周部を有し、前記一方の前記支持軸に摺動可能に取り付けられる第一摺動部と、
夫々の前記本体部の下方部に、前記２本の支持軸の内の他方の前記支持軸の外径と異形状の内周部を有し、前記他方の前記支持軸に摺動可能に取り付けられる第二摺動部と、
を有することを特徴とするインクジェットプリンター。
【請求項２】
前記２本の前記支持軸は円筒であり、前記第二摺動部の前記内周部は矩形であることを特徴とする請求項１に記載のインクジェットプリンター。
【請求項３】
前記第一摺動部の前記支持軸の長手方向に沿った長さが、前記支持軸の直径より長いことを特徴とする請求項２に記載のインクジェットプリンター。
【請求項４】
前記支持軸の前記外径の直径に対して第２摺動部の前記内周部の一辺が１．０２倍以上１．１０倍以下の長さであることを特徴とする請求項２または請求項３に記載のインクジェットプリンター。
【請求項５】
前記供給部は、前記支持軸に対応する２本の支持軸と、前記第１のホルダーと前記第２のホルダーに対応する１対のホルダーと、を有することを特徴とする請求項１から請求項４の何れか１項に記載のインクジェットプリンター。
【発明の詳細な説明】
【技術分野】
【０００１】
本発明は、例えば比較的幅広の記録媒体に、画像の記録を行うインクジェットプリンターに関する。
【背景技術】
【０００２】
従来、紙や樹脂フィルムなどの記録媒体にインク滴を吐出して文字や画像等の記録を行うインクジェット方式のプリンターが知られている。このインクジェット方式のプリンターには、記録媒体の搬送方向に直交する幅、すなわち記録媒体の幅が、例えば１ｍ〜３ｍ程度の、比較的幅広の記録媒体に記録を行う比較的大型のインクジェットプリンターがある。
【０００３】
この種のプリンターは、記録媒体に記録を行う記録ユニットと、この記録ユニットによって記録される記録媒体を搬送する搬送ユニットとを備えている。記録ユニットは、記録媒体にインク滴を吐出する記録ヘッドと、記録媒体の搬送方向に直交する幅方向に記録ヘッドを走査させるヘッド移動機構とを有している。搬送ユニットは、記録媒体が巻回された供給ロールから、記録媒体を供給する供給部と、記録ヘッドによって記録される記録媒体を支持するプラテンと、記録ヘッドによって記録された記録媒体を巻取りロールに巻取る巻取り部とを有している。
【０００４】
上述のように構成された従来のプリンターは、供給部の供給ロールから供給された記録媒体が、プラテン上に支持され、そこに記録ヘッドによって記録が行われる。記録が行われた記録媒体は、巻取り部の巻取りロールに巻取られる。このようなプリンターでは、記録媒体の幅は特定の幅のものだけではなく、様々な幅のものが使用される。このような様々な幅のものを、供給部および巻取り部に装着できる必要がある。このような装置の例として、例えば特開２０１０−１６８２２０号公報に記載の装置がある。
【先行技術文献】
【特許文献】
【０００５】
【特許文献１】特開２０１０−１６８２２０号公報
【発明の概要】
【発明が解決しようとする課題】
【０００６】
ところで、従来のプリンターでは、紙管の中にロール軸を挿入し、そのロール軸の両端を回動可能に支えている。ロール軸は使用可能な最大幅に対応できるようになっているのでかなり長いものである。これは、幅の狭い記録媒体を使う時でも軸の一方側に合わせてセットする必要があり、一旦セットすると幅方向への移動が困難であり、記録媒体を少しずらして印刷したい場合などに対応できないという問題があった。
【課題を解決するための手段】
【０００７】
本発明のインクジェットプリンターは、記録媒体が紙管に巻回された供給ロールから前記記録媒体を供給する供給部と、前記記録媒体を搬送する搬送手段と、前記供給部から供給された前記記録媒体に記録を行う記録ヘッドと、前記記録ヘッドで記録された前記記録媒体を巻取りロールに巻取る巻取り部と、を備えるインクジェットプリンターにおいて、前記巻取り部は、前記記録媒体の搬送方向に対して交差する方向に沿って配置された２本の支持軸と、前記支持軸に摺動可能に支持され、前記紙管の一方の端を固定する第１のホルダーと、前記支持軸に摺動可能に支持され、前記紙管の他方の端を固定する第２のホルダーと、を有し、前記第１のホルダーと前記第２のホルダーは、夫々の本体部の上方部に回動可能に支持され、前記紙管を固定する紙管固定部と、夫々の前記本体部の下方部に、前記２本の支持軸の内の一方の前記支持軸の外径と同形状の内周部を有し、前記一方の前記支持軸に摺動可能に取り付けられる第一摺動部と、夫々の前記本体部の下方部に、前記２本の支持軸の内の他方の前記支持軸の外径と異形状の内周部を有し、前記他方の前記支持軸に摺動可能に取り付けられる第二摺動部と、を有することを特徴とする。
【発明の効果】
【０００８】
ロール状の記録媒体をインクジェットプリンターにセットした後にでもその記録媒体を軸方向に容易に移動できるインクジェットプリンターを提供できる。
【図面の簡単な説明】
【０００９】
【図１】図１は、インクジェットプリンターの全体の外観図である。
【図２】図２は、ホルダーの側面図である。
【図３】図３は、ホルダーにロールが取り付けられた状態を説明する図である。
【発明を実施するための形態】
【００１０】
以下、本発明の具体的な実施形態について、図面を参照して説明する。図１は、インクジェットプリンターの全体の外観図である。
インクジェットプリンター１では、記録媒体として、例えば、搬送方向に直交する幅寸法が例えば最大３ｍ程度の比較的幅広にされた紙や塩化ビニル、ＰＥＴ樹脂などの合成樹脂フィルム等が用いられる。キャリッジ３はインクジェットヘッドを搭載し、Ｙレール４に沿って往復移動する。インクジェット方式の記録ヘッドは、往復移動しながらプラテン２上に搬送された記録媒体にインクを吐出し、画像を記録する。プラテン２の記録媒体の搬送方向上流には、プラテン２に沿って搬送ローラー５が配置されている。搬送ローラー５によって記録媒体が搬送される。記録された記録媒体は、ペーパーガイド６に沿って搬送される。ペーパーガイド６にはヒーターが備わり、記録後の記録媒体を加熱することでインクの定着を促進させる。
【００１１】
インクジェットプリンター１には、記録された記録媒体を巻取る巻取り装置１６が備わる。インクジェットプリンター１の幅方向に軸１４と軸１５が平行に配置されている。インクジェットプリンター１の足にはレール８が備わっている。このレール８に沿って軸１４と軸１５が固定されている台が移動する。台にはキャスター７が備わり、接地面を転がる。
【００１２】
軸１４と軸１５には、その長手方向に摺動可能に、ホルダー１０とホルダー１１が備わる。ホルダー１０には、記録媒体を巻取る動力源としてモーター９が備わる。巻取り方向の逆方向に、例えばワンウエイクラッチなどにより、自由に回転できるようにすることで、この巻取り装置１６を供給側にも利用できる。この場合、搬送ローラー５によって、自由に回転するロールから記録媒体を引き出すことができる。また、記録媒体を仮置きするロール受１２とリフト１３が着脱可能に備わる。ロール受１２とリフト１３は記録媒体をホルダー１０とホルダー１１に取り付けたり外したりする場合に使用する。
【００１３】
図２は、記録媒体支持部の側面図である。記録媒体支持部は巻き回された記録媒体を保持する。ホルダー１１は、基底部２７とその上部に立設部２８を備える。立設部２８に紙管を固定する紙管固定部であるコネクター１７を備え、コネクター１７は回動可能に立設部２８に支持されている。コネクター１７は紙管の内径に食付けることで固定する。
【００１４】
基底部２７には第１摺動部２４が備わる。第１摺動部２４は軸１４を通す円筒状の摺動面２０を備える。第１摺動部２４の内径は軸１４の直径と同じで密接して摺動する。軸１４の外径に対して内接する正９角形１９を軸１４の代わりに図示している。軸１４は円柱以外にも多角形のパイプでもよい。基底部２７には第２摺動部２２が備わる。第２摺動部２２の内面の上部には摺動面２３を備える。また、軸１５の外径に対して内接する正９角形２１を軸１５の代わりに図示している。軸１５の外径に比べ第２摺動部２２の内径を大きくしている。第２摺動部は四角形であり、その内側の１辺は、軸１５の直径に比べ２％から１０％程度大きいことが好ましい。あまり大きくても、実際に摺動させる部分は摺動面２３の部分であり、余分なスペースを取るだけとなるので、なるべくコンパクトにしたい。軸１５は円柱以外にも多角形のパイプでもよい。また、ノブ１８はねじと連動し、軸１４にねじを押し付けることで、ホルダー１１を軸１４に固定できる。
【００１５】
第１摺動部２４の摺動面２０と第２摺動部２２の摺動面２３は、フッ素を含むプラスチックによって形成されている。滑りが良く、スムーズに摺動できる。
摺動部に関しては、一方が密接し、一方に隙間を設けることで、ホルダー１１の移動時に軸１４あるいは軸１５に引っかからずにスムーズに摺動することができる。これは軸に対してホルダーが斜めになることが無いからである。また、軸の曲りがあっても一方に隙間があることで曲りを許容できるので、スムーズに摺動できる。すなわち両方の摺動部に隙間があると、移動方向に対して斜めになり、軸に掛かってしまう恐れがある。また両者に隙間が無いと、少しの軸の曲りによって移動できなくなってしまう恐れがある。
【００１６】
また、立設部２８には、貫通部２５、２６が備わり、より小型の装置の軸に通して使用することができる。この貫通部２５、２６も摺動しやすいフッ素を含むプラスチックによって形成されている。立設部２８は基底部２７に着脱可能であり、小型装置に用いる場合は外して使うことができる。さらに貫通部２５と第２摺動部２２を使ってホルダー１１を斜めにして支えて使うことができる。その場合は第２摺動部２２と軸１５が当接する面に摺動面２３の部分と同様の構成を持たせる。同様に貫通部２６と第１摺動部２４を使うこともできる。斜めに支えることで、インクジェットプリンター１の形状、巻取り装置１６の形状などによってロールの取り付け制限がる場合などに利用できる。
【００１７】
図３は、ホルダーにロールが取り付けられた状態を説明する図である。ロール２９は紙管に紙や塩化ビニルフィルムなどの記録媒体が巻き回されたものである。ロール２９の紙管に、ホルダー１１のコネクター１７が食付き固定されている。ホルダー１１の立設部２８の上部に回動可能にコネクター１７が備わる。基底部２７は第１摺動部２４とノブ１８が備わる。第１摺動部２４は筒状であり、軸１４に摺動可能にはめられている。第１摺動部２４の内径はほぼ軸１４の直径に等しく、隙間なく摺動する。また、基底部２７の軸１５側にも摺動部が備わり、軸１５に摺動可能にはめられている。また、第１摺動部２４の軸１４方向の長さは、軸１４の直径より長くすることで、安定してロールを支えることができると共にスムーズに摺動できる。
【００１８】
ホルダー１０にもホルダー１１と同様の摺動部の構成を持つ。軸１４と軸１５の長手方向に、ホルダー１０とホルダー１１はスムーズに移動ができる。ホルダー１０とホルダー１１によって紙管の両端を固定することで、ロール２９を回転可能に支持でき。モーター９の回転によって、巻取ることができる。また、ロール２９を保持したままで、軸１４と軸１５の長手方向に移動ができる。
また、巻取り装置１６について説明したが、記録媒体を供給する側の供給装置にもそのまま利用できる。
【産業上の利用可能性】
【００１９】
本発明は、インクジェットプリンターに利用できる。
【符号の説明】
【００２０】
１  インクジェットプリンター
２  プラテン
３  キャリッジ
５  搬送ローラー
６  ペーパーガイド
１０  ホルダー
１１  ホルダー
１４  軸
１５  軸
２２  第２摺動部
２４  第１摺動部
２７  基底部
２８  立設部
【図１】
2014144558.tif 000003
【図２】
2014144558.tif 000004
【図３】
2014144558.tif 000005